(57)【特許請求の範囲】
【請求項１】
長方形の表示面を有する表示装置と、
前記表示装置の前記表示面の長辺方向に沿って、前記表示装置上に配置される第一の仮
想表示部及び第二の仮想表示部と、を有し、
前記第一の仮想表示部及び前記第二の仮想表示部は、それぞれ、前記表示装置の前記表
示面に対して前記長辺方向に約４５度傾いた第一のハーフミラーを有して構成され、
前記第一の仮想表示部の前記第一のハーフミラーと、前記第二の仮想表示部の前記第一
のハーフミラーは、略平行に配置されており、
前記第一の仮想表示部は、前記表示面に対して前記表示面の短辺方向に約４５度傾かせ
、かつ、それぞれがＶ字型となるよう配置される第二のハーフミラー及び第三のハーフミ
ラーを有するヘッドアップディスプレイ装置。
【請求項２】
前記第一の仮想表示部は、前記表示部に対して前記表示面の長辺方向に約４５度傾かせ
、かつ、前記第一の仮想表示部における前記第一のハーフミラーと対抗して配置される第
四のハーフミラーを有する請求項１記載のヘッドアップディスプレイ装置。
【請求項３】
前記第一の仮想表示部の前記第一のハーフミラーと、前記第二の仮想表示部の前記第一
のハーフミラーの高さが等しい請求項１記載のヘッドアップディスプレイ装置。
【請求項４】
前記第一の仮想表示部の前記第一のハーフミラーと、前記第二の仮想表示部の前記第一
のハーフミラーの下幅は、前記表示面の短辺の長さに等しい請求項１記載のヘッドアップ
ディスプレイ装置。
【請求項５】
前記第一の仮想表示部は、第一乃至第四のハーフミラーにより四角錐形状となっている
請求項２記載のヘッドアップディスプレイ装置。
【請求項６】
前記表示装置の前記表示面の長辺方向に沿って、更に、第三の仮想表示部と、を有する
請求項１記載のヘッドアップディスプレイ装置。
【請求項７】
前記表示装置の前記表示面の長辺方向に沿って、更に、第三の仮想表示部と、を有し、
前記第三の仮想表示部は、前記表示装置の前記表示面に対して前記長辺方向に約４５度傾
いた第一のハーフミラーを有して構成され、
前記第一の仮想表示部の前記第一のハーフミラーと、前記第二の仮想表示部の前記第一
のハーフミラーと、前記第三の仮想表示部の前記第一のハーフミラーは、略平行に配置さ
れている請求項１記載のヘッドアップディスプレイ装置。
【発明の詳細な説明】
【技術分野】
【０００１】
本発明は、ヘッドアップディスプレイ装置に関する。
【背景技術】
【０００２】
ヘッドアップディスプレイ装置とは、人間の視野に直接情報を映し出すことのできる装置であって、ハーフミラーを表示面に対して傾かせて配置し、表示面に略平行な方向からハーフミラーを観察することで、表示面に表示させた映像があたかも空中に浮かんでいるかのように虚像を見せることのできる装置である。このヘッドアップディスプレイ装置は、例えば航空の分野において、パイロットの前面に配置されるフロントガラス等を利用して虚像を表示し、パイロットの視野を遮ることなくこの虚像をパイロットの視野中の構造物等と重ね合わせ、パイロットの操作を支援する用途等に用いられている。
【０００３】
ところで近年、上記用途だけでなく、展示会等の他分野への応用も検討されている。例えば、下記特許文献１には、Ｖ字型をなす２つのハーフミラーと、このＶ字の開口部に映像表示面を向けたヘッドアップディスプレイ装置が開示されている。
【先行技術文献】
【特許文献】
【０００４】
【特許文献１】特許第２６１６７１６号明細書
【発明の開示】
【発明が解決しようとする課題】
【０００５】
しかしながら、上記特許文献１に記載の技術で示されるヘッドアップディスプレイ装置は、虚像を単層で配置することができるに過ぎない。更に、上記ヘッドアップディスプレイ装置では、一方向（及びその逆方向）からのみ虚像の観測が可能であるに過ぎない。すなわち、虚像を重ね合わせることができ、また、他の方向からも観測することができればより高度な表示が可能となる。
【０００６】
そこで、本発明は、上記課題を鑑み、虚像を重ね合わせることができるヘッドアップディスプレイ装置を提供することを目的とする。更には、複数の方向からも虚像を観測することのできるヘッドアップディスプレイ装置を提供することを目的とする。
【課題を解決するための手段】
【０００７】
上記課題を解決する第一の観点に係るヘッドアップディスプレイ装置は、長方形の表示面を有する表示装置と、表示装置の表示面の長辺方向に沿って、表示装置上に配置される第一の仮想表示部及び第二の仮想表示部と、を有する。
【０００８】
この観点において、限定されるわけではないが、第一の仮想表示部及び第二の仮想表示部は、それぞれ、表示装置の表示面に対して長辺方向に約４５度傾いた第一のハーフミラーを有して構成され、第一の仮想表示部の第一のハーフミラーと、第二の仮想表示部の第一のハーフミラーは、略平行に配置されていることが好ましい。
【０００９】
またこの観点において、限定されるわけではないが、第一の仮想表示部は、表示面に対して表示面の短辺方向に約４５度傾かせ、かつ、それぞれがＶ字型となるよう配置される第二のハーフミラー及び第三のハーフミラーを有することが好ましい。
【００１０】
またこの観点において、限定されるわけではないが、第一の仮想表示部は、表示部に対して表示面の長辺方向に約４５度傾かせ、かつ、第一の仮想表示部における第一のハーフミラーと対抗して配置される第四のハーフミラーを有することが好ましい。
【００１１】
またこの観点において、限定されるわけではないが、第一の仮想表示部の第一のハーフミラーと、第二の仮想表示部の第一のハーフミラーの高さが等しいことが好ましい。
【００１２】
またこの観点において、限定されるわけではないが、第一の仮想表示部の第一のハーフミラーと、第二の仮想表示部の第一のハーフミラーの下幅は、表示面の短辺の長さに等しいことが好ましい。
【００１３】
またこの観点において、限定されるわけではないが、第一の仮想表示部は、第一乃至第四のハーフミラーにより四角錐形状となっていることが好ましい。
【００１４】
またこの観点において、限定されるわけではないが、表示装置の表示面の長辺方向に沿って、更に、第三の仮想表示部と、を有することが好ましい。
【００１５】
またこの観点において、限定されるわけではないが、表示装置の前記表示面の長辺方向に沿って、更に、第三の仮想表示部と、を有し、第三の仮想表示部は、表示装置の表示面に対して長辺方向に約４５度傾いた第一のハーフミラーを有して構成され、第一の仮想表示部の前記第一のハーフミラーと、第二の仮想表示部の第一のハーフミラーと、第三の仮想表示部の第一のハーフミラーは、略平行に配置されていることが好ましい。
【発明の効果】
【００１６】
そこで、本発明は、上記課題を鑑み、虚像を重ね合わせることができるヘッドアップディスプレイ装置を提供することができ、更には、複数の方向からも虚像を観測することのできるヘッドアップディスプレイ装置を提供することもできるようになる。
【図面の簡単な説明】
【００１７】
【図１】実施形態１に係るヘッドアップディスプレイ装置の概略上面図である。
【図２】実施形態１に係るヘッドアップディスプレイ装置の概略断面図である。
【図３】実施形態１に係るヘッドアップディスプレイ装置の概略断面図である。
【図４】実施形態２に係るヘッドアップディスプレイ装置の概略上面図である。
【図５】実施形態２に係るヘッドアップディスプレイ装置の概略断面図である。
【図６】実施形態２に係るヘッドアップディスプレイ装置の概略断面図である。
【図７】実施形態３に係るヘッドアップディスプレイ装置の概略上面図である。
【図８】実施形態３に係るヘッドアップディスプレイ装置の概略断面図である。
【図９】実施形態３に係るヘッドアップディスプレイ装置の概略断面図である。
【図１０】実施形態４に係るヘッドアップディスプレイ装置の概略上面図である。
【図１１】実施形態４に係るヘッドアップディスプレイ装置の概略断面図である。
【図１２】実施形態４に係るヘッドアップディスプレイ装置の概略断面図である。
【図１３】実施形態５に係るヘッドアップディスプレイ装置の概略上面図である。
【図１４】実施形態５に係るヘッドアップディスプレイ装置の概略断面図である。
【図１５】実施形態５に係るヘッドアップディスプレイ装置の概略断面図である。
【図１６】実施形態６に係るヘッドアップディスプレイ装置の概略上面図である。
【図１７】実施形態６に係るヘッドアップディスプレイ装置の概略断面図である。
【図１８】実施形態６に係るヘッドアップディスプレイ装置の概略断面図である。
【図１９】実施形態７に係るヘッドアップディスプレイ装置の概略上面図である。
【図２０】実施形態７に係るヘッドアップディスプレイ装置の概略断面図である。
【図２１】実施形態７に係るヘッドアップディスプレイ装置の概略断面図である。
【図２２】実施形態８に係るヘッドアップディスプレイ装置の概略上面図である。
【図２３】実施形態８に係るヘッドアップディスプレイ装置の概略断面図である。
【図２４】実施形態８に係るヘッドアップディスプレイ装置の概略断面図である。
【図２５】実施形態の補足に係る枠部材の説明図である。
【図２６】実施形態９に係るヘッドアップディスプレイ装置の概略上面図である。
【図２７】実施形態９に係るヘッドアップディスプレイ装置の概略断面図である。
【図２８】実施形態９に係るヘッドアップディスプレイ装置の概略断面図である。
【発明を実施するための最良の形態】
【００１８】
以下、本発明の実施形態について図面を参照しつつ説明する。ただし、本発明は多くの異なる態様で実施することが可能であり、以下に示す実施形態に限定されるものではない。なお、本明細書においては同一又は同様の機能を有する部分には同一の符号を付し、その繰り返しの説明は省略する。
【００１９】
（実施形態１）
図１は、本実施形態に係るヘッドアップディスプレイ装置（以下「本装置」という。）１を上から見た場合の概略図であり、図２は、本装置を横から（短辺方向に沿って）見た場合の概略断面図であり、図３は、本装置を横から（長辺方向に沿って）見た場合の概略断面図である。
【００２０】
本装置１は、これらの図で示すように、長方形の表示面２１を有する表示装置２と、表示装置の表示面の長辺方向２２に沿って、表示装置２上に配置される第一の仮想表示部３及び第二の仮想表示部４と、を有する。
【００２１】
本実施形態において、表示装置２は、表示面２１に映像を表示することのできる装置であって、一般に市販されている表示装置を利用することができる。表示装置の例としては、例えば液晶ディスプレイ装置、プラズマディスプレイ装置等を挙げることができるがこれに限定されない。また本実施形態において表示装置２は、上記の通り長方形の表示面２１を有する。一般に市販されている表示装置２の表示面２１は長方形であり、この長方形を利用することで、虚像９１、９２を重ね合わせ、更には、複数の方向から虚像を観測することができるようにする。長方形の長辺方向２２の長さと短辺方向２３の長さの比率は限定されるわけではないが、一般に市販されている表示装置のサイズを考慮すると短辺方向２３の長さを１とした場合、１．２以上２．５以下の範囲であることが好ましい。
【００２２】
また本実施形態において仮想表示部とは、入射される光のうちの一部を透過し、一部を反射させることで、観測者に虚像を認識させることができるものであり、いわゆるハーフミラー有して構成されている。ここでハーフミラーとは、入射された光のうち一部を透過し、一部を反射することのできるものであって、この機能を有する限りにおいて限定されるわけではないが、ハーフミラーの反射率としては、２０％以上８０％以下の範囲にあることが好ましく、より好ましくは４０％以上６０％以下の範囲内である。
【００２３】
また本実施形態において、第一の仮想表示部３及び第二の仮想表示部４は、それぞれ、表示装置２の表示面２１に対して長辺方向２２に約４５度傾いた第一のハーフミラー３１、４１を有して構成され、第一の仮想表示部３の第一のハーフミラー３１と、第二の仮想表示部４の第一のハーフミラー４１は、略平行に配置されている。ここで仮想表示部及びハーフミラーにおいて「第一の」及び「第二の」と表記しているが、これは、複数ある仮想表示部及びハーフミラーを区別するために用いる表記であり、機能に対する特別な意味を持たせることを、原則として意図したものではない。ここで「略平行」とは、完全に平行であることが好ましいが、数度程度の誤差は許容することを意味する。具体的には、二つのハーフミラーのなす角度が５度以下であることをいう（以下「略平行」という場合において同様である。）。
【００２４】
本実施形態において、第一の仮想表示部３の第一のハーフミラー３１は、上記の通り、表示装置２の表示面２１に対して長辺方向２２に約４５度傾いて配置されている。このように配置することで、例えば図２で示すように、観測者が長辺方向２２の一方から見た場合、位置９１に像が存在しているかのように錯覚する。なおここで「約４５度」とは、完全に４５度であることが好ましいが、数度程度の誤差は許容することを意味するものであって、具体的には４０度以上５０度以下の範囲にあることをいう（以下「約４５度」という場合において同様である。）
【００２５】
また本実施形態において、上記の通り、第一の仮想表示部３の第一のハーフミラー３１と、第二の仮想表示部４の第一のハーフミラー４１は、略平行に配置されている。すなわち、第二の仮想表示部４の第一のハーフミラー４１も、表示装置２の表示面２１に対して長辺方向２２に約４５度傾いて配置されている。このようにすると、図２で示すように、長辺方向２２の一方からみた場合、位置９１だけでなく、位置９２においても虚像を確認することができ、虚像を多層で観測することができるようになる。
【００２６】
また本実施形態において、第一の仮想表示部３は、表示面２１に対して表示面２１の短辺方向２３に約４５度傾かせ、かつ、それぞれがＶ字型となるよう配置される第二のハーフミラー３２及び第三のハーフミラー３３を有する。このようにすることで、観測者は長辺方向だけではなく、短辺方向から見た場合、位置９３、９４に虚像を確認することが可能となり、多面的に虚像を確認することができるといった効果がある。
【００２７】
また本実施形態において、第一の仮想表示部３は、表示装置２の表示面２１に対して表示面２１の長辺方向２２に約４５度傾かせ、かつ、第一の仮想表示部３における第一のハーフミラー３１と対向してＶ字型となるように配置される第四のハーフミラー３４を有する。このようにすることで、長辺側の一方（第二の仮想表示部側）から第一の仮想表示部３を見た場合、観測者に対し位置９５に虚像を表示させることができ、更に多方面からの虚像の観測が可能となる。
【００２８】
なお本実施形態において、第一の仮想表示部４は、上記の記載及び図面から明らかなように三角形状の第一乃至第四のハーフミラーによって正四角錐を構成しているが、第二の仮想表示部４は、ハーフミラーとしては四角形状の第一のハーフミラー４１のみから構成されている。このようにすることで第二の仮想表示部４において虚像をより広く確保することができ、虚像の背景を表示するなどの用途が可能となる。
【００２９】
また、本実施形態において、第一の仮想表示部３の第一のハーフミラー３１と、第二の仮想表示部４の前記第一のハーフミラー４１の高さは等しくなっている。このようにすることで、第一の仮想表示部３によって観測できる虚像と第二の仮想表示部４によって観測できる虚像の高さを併せることが可能となり、虚像を容易に多重化できる。
【００３０】
また本実施形態において、第一の仮想表示部３の第一のハーフミラー３１と、第二の仮想表示部４の第一のハーフミラー４１の下幅は、表示面２１の短辺方向２３の長さに等しいことが好ましい。このようにすることで表示面２１を最大限に利用することができるようになる。
【００３１】
以上、本実施形態により、虚像を重ね合わせることができるヘッドアップディスプレイ装置を提供することができ、更には、複数の方向からも虚像を観測することのできるヘッドアップディスプレイ装置を提供することができる。なお本実施形態の虚像の表示において、表示装置は、第一の仮想表示部３の下部、及び第二の仮想表示部４の下部にそれぞれ異なる映像を表示させる。この結果、第一の仮想表示部３、及び第二の仮想表示部４にそれぞれ異なる虚像を表示させることが可能となり、多彩な表示が可能となる。
【００３２】
（実施形態２）
本実施形態に係るヘッドアップディスプレイ装置（以下「本装置」という。）１の概略上面図を図４に、本装置を横から（短辺方向に沿って）見た場合の概略断面図を図５、本装置を横から（長辺方向に沿って）見た場合の概略断面図を図６にそれぞれ示す。
【００３３】
本実施形態に係るヘッドアップディスプレイ装置は、上記実施形態１とほぼ同様であるが、第一の仮想表示部３における第四のハーフミラー３４を設けず、第二のハーフミラー３２、第三のハーフミラー３３に台形状のハーフミラーを採用している点が異なる。
【００３４】
本実施形態によると、長辺方向からは一方からのみ虚像を観測できることとなるが、第二のハーフミラー３２及び第三のハーフミラー３３を広く確保することができるため、短辺方向からの虚像をより大きく表示させることができるようになるといった効果がある。さらに、第四のハーフミラー３４を設けないことで第一の仮想表示部３が開口部を有する構成となっているため、展示者はこの開口部３５から第一の仮想表示部３内に展示小物を簡単に置くことができる。このようにすれば展示小物と虚像とを重ね合わせ、より多彩な展示を行なうことができるといった効果がある。なおこの開口部３５には、ガラス等の透明な部材を蓋として配置することができる。
【００３５】
（実施形態３）
本実施形態に係るヘッドアップディスプレイ装置（以下「本装置」という。）１の概略上面図を図７に、本装置を横から（短辺方向に沿って）見た場合の概略断面図を図８、本装置を横から（長辺方向に沿って）見た場合の概略断面図を図９にそれぞれ示す。
【００３６】
本実施形態はほぼ実施形態１と同様であるが、表示装置２の表示面２１の上に、更に、長辺方向に沿って、第三の仮想表示部５を有する点が実施形態１と異なる。なお本実施形態における第三の仮想表示部５は、第二の仮想表示部４とで第一の仮想表示部３を挟むように構成されている。
【００３７】
本実施形態に係る第三の仮想表示部５は、表示装置２の表示面２１に対して長辺方向２２に約４５度傾いた第一のハーフミラー５１を有して構成されている。第三の仮想表示部５は、第二の仮想表示部４とは構成がほぼ同じであり、その配置が異なるだけである。本実施形態では第一の仮想表示部３の第一のハーフミラー３１と、第二の仮想表示部４の第一のハーフミラー４１と、第三の仮想表示部５の第一のハーフミラー５１は、略平行に配置されている。なお「略平行」及び「約４５度」の意味は、上記実施形態１と同様である。
【００３８】
また本実施形態では第一の仮想表示部３、第二の仮想表示部４、第三の仮想表示部５の高さは統一してある。このようにすることで、虚像９１、９２、９３の高さを容易に合わせることができるといった利点がある。
【００３９】
以上、本実施形態によると、上記実施形態１の効果に加え、より多くの虚像を重ね合わせた表示が可能となるといった効果がある。
【００４０】
（実施形態４）
本実施形態に係るヘッドアップディスプレイ装置（以下「本装置」という。）１の概略上面図を図１０に、本装置を横から（短辺方向に沿って）見た場合の概略断面図を図１１、本装置を横から（長辺方向に沿って）見た場合の概略断面図を図１２にそれぞれ示す。
【００４１】
本実施形態はほぼ実施形態３と同様であるが、第二の仮想表示部４の第一のハーフミラー４１と第三の仮想表示部５の第一のハーフミラー５１の高さが同じであるが、第一の仮想表示部３における第一のハーフミラー３１の高さよりも低く設定されていることが実施形態３と異なる。このようにすることで、一般的なディスプレイサイズにおいても三つの仮想表示部を設けることが可能となり、多重の虚像の表示が可能となるといった効果がある。
【００４２】
なお本実施形態では第二の仮想表示部４の第一のハーフミラー４１と第三の仮想表示部５の第一のハーフミラー５１の高さを同じくしたが、第一乃至第三の仮想表示部の高さは適宜調整可能であり、いずれも異なる高さとすることもできるし、同じくすることもできる。この調節により、より様々なサイズの表示装置に対応した仮想表示を行なわせることができる。
【００４３】
（実施形態５）
本実施形態に係るヘッドアップディスプレイ装置（以下「本装置」という。）１の概略上面図を図１３に、本装置を横から（短辺方向に沿って）見た場合の概略断面図を図１４、本装置を横から（長辺方向に沿って）見た場合の概略断面図を図１５にそれぞれ示す。
【００４４】
本実施形態はほぼ実施形態４と同様であるが、第三の仮想表示部５の第一のハーフミラー５１の向きが、表示面２１の長辺方向２２を基準として反対に配置されている点が異なる。このようにすることで、長辺方向のいずれの方向からであっても多重の虚像を確認することができるといった効果がある。
【００４５】
なお本実施形態では第二の仮想表示部４の第一のハーフミラー４１と第三の仮想表示部５の第一のハーフミラー５１の高さを同じくしているが、本実施形態と上記実施形態３、４で示している通り、第一乃至第三の仮想表示部の高さは適宜調整可能であり、いずれも異なる高さとすることもできるし、同じくすることもできる。
【００４６】
（実施形態６）
本実施形態に係るヘッドアップディスプレイ装置（以下「本装置」という。）１の概略上面図を図１６に、本装置を横から（短辺方向に沿って）見た場合の概略断面図を図１７、本装置を横から（長辺方向に沿って）見た場合の概略断面図を図１８にそれぞれ示す。
【００４７】
本実施形態はほぼ実施形態４と同様であるが、第一の仮想表示部３の第一のハーフミラー３１、第二のハーフミラー３２、第三のハーフミラー３３、第四のハーフミラー３４が台形状であって、第一の仮想表示部３の上部が四角形状の窓３６を有していることが異なる。このようにすることで、第一の仮想表示部３の下幅等サイズを確保した上で、高さを調整することが可能となり、表示面２１を有効に活用することができる一方、第一の仮想表示部３の高さを第二の仮想表示部４、第三の仮想表示部５と併せることが可能となり、設計の自由度が向上するとともに、四角形状の窓３６を有することでこの窓から展示小物を配置させることができるようになる。もちろん、この四角形状の窓３６の部分に別途ガラス等の板状部材を蓋として設けておくことは可能である。
【００４８】
なお本実施形態では、第二の仮想表示部４の第一のハーフミラー４１と第三の仮想表示部５の第一のハーフミラー５１の高さを同じくしたが、上記実施形態の記載から把握できる通り、第一乃至第三の仮想表示部の高さは適宜調整可能であり、いずれも異なる高さとすることもできるし、同じくすることもできる。
【００４９】
（実施形態７）
本実施形態に係るヘッドアップディスプレイ装置（以下「本装置」という。）１の概略上面図を図１９に、本装置を横から（短辺方向に沿って）見た場合の概略断面図を図２０、本装置を横から（長辺方向に沿って）見た場合の概略断面図を図２１にそれぞれ示す。
【００５０】
本実施形態はほぼ実施形態５と同様であるが、第一の仮想表示部３の第一のハーフミラー３１、第二のハーフミラー３２、第三のハーフミラー３３、第四のハーフミラー３４が台形状であって、第一の仮想表示部３の上部が四角形状の窓３６を有していることが異なる。このようにすることで、第一の仮想表示部３の下幅等サイズを確保した上で、高さを調整することが可能となり、表示面２１を有効に活用することができる一方、第一の仮想表示部３の高さを第二の仮想表示部４、第三の仮想表示部５と併せることが可能となり、設計の自由度が向上するとともに、四角形状の窓３６を有することでこの窓から展示小物を配置させることができるようになる。もちろん、この四角形状の窓３６の部分に別途ガラス等の板状部材を蓋として設けておくことは可能である。
【００５１】
なお本実施形態では、第二の仮想表示部４の第一のハーフミラー４１と第三の仮想表示部５の第一のハーフミラー５１の高さを同じくしたが、上記実施形態の記載から把握できる通り、第一乃至第三の仮想表示部の高さは適宜調整可能であり、いずれも異なる高さとすることもできるし、同じくすることもできる。
【００５２】
（実施形態８）
本実施形態に係るヘッドアップディスプレイ装置（以下「本装置」という。）１の概略上面図を図２２に、本装置を横から（短辺方向に沿って）見た場合の概略断面図を図２３、本装置を横から（長辺方向に沿って）見た場合の概略断面図を図２４にそれぞれ示す。
【００５３】
本実施形態はほぼ実施形態２と同様であるが、第一の仮想表示部３の第一のハーフミラー３１が台形状であって、第一の仮想表示部３の上部が四角形状の窓３６を有していることが異なる。このようにすることで、第一の仮想表示部３の下幅等サイズを確保した上で、高さを調整することが可能となり表示面２１を有効に活用することができる一方、第一の仮想表示部３の高さを第二の仮想表示部４、第三の仮想表示部５と併せることが可能となり、設計の自由度が向上するとともに、開口部３５及び四角形状の窓３６を有することでこの開口部及び窓から展示小物を配置させることができるようになる。もちろん、この四角形状の窓３６の部分に別途ガラス等の板状部材を蓋として設けておくことは可能である。
【００５４】
（実施形態１乃至８についての補足）
上記実施形態１乃至８におけるヘッドアップディスプレイ装置は、いずれも表示装置上に複数の仮想表示部を配置していることが特徴となっており、ハーフミラーの下辺が表示装置側にある。したがって、複数の仮想表示装置の位置関係を安定的に固定するためには、表示装置に対して固定すること等が好ましい。しかしながら、持ち運びの観点、他の表示装置との組合せ等の観点から、複数の仮想表示部のみを固定しておくことが好ましい場合もある。このような場合、例えば、複数の仮想表示部の下辺部分を共通に接続する棒状の枠部材を組み合わせて構成することも可能である。この場合の例を例えば図２５に示しておく。なお本図は上記実施形態１における枠部材の例である。このようにすると、表示装置に対し取り外しが可能となるだけでなく、仮想表示部のいずれの側（下辺側及び頂点側）にも表示装置を配置することができるようにもなるといった効果がある。
【００５５】
（実施形態９）
本実施形態に係るヘッドアップディスプレイ装置（以下「本装置」という。）１の概略上面図（表示装置を非表示とした場合）を図２６に、本装置を横から（短辺方向に沿って）見た場合の概略断面図を図２７、本装置を横から（長辺方向に沿って）見た場合の概略断面図を図２８にそれぞれ示す。
【００５６】
本実施形態はほぼ実施形態１と同様であるが、表示装置２と第一の仮想表示部３及び第二の仮想表示部４の配置関係が異なる。具体的には、上記実施形態１では、第一の仮想表示部３のハーフミラーが三角形状であって、その底辺部分が表示装置側となるよう配置されているが、本実施形態では逆に、頂点部分が表示装置側となるよう配置されている点が特徴となっている。なおこの場合、第一の仮想表示部３及び第二の仮想表示部４を支持するための支持板６を設けて、これら仮想表示部を固定配置しておくようにしておくことが好ましい。
【００５７】
本装置１は、このようにすることで第一の仮想表示部３及び第二の仮想表示部４の配置関係を固定することができるため、表示装置に直接固定しなくてよくなるといった効果がある。さらに、支持板６に穴を開け、開閉可能な蓋を用いることで、例えば図２８で示すように、第一の仮想表示部３内に展示小物を配置することが容易になるといった効果がある。
【００５８】
なお、本実施形態では、実施形態１の変形例として表示装置の配置を逆転させた例を説明しているが、上記実施形態１に限られず、上記実施形態２乃至８に対しても同様に応用が可能であることは言うまでもない。特に、上記実施形態において、第一乃至第三の仮想表示部の高さを揃えるような場合、更に開口部を設けているような場合には、表示装置状に安定的に第一乃至第三の仮想表示部を配置し、より見やすい多重の虚像の表示を行なうことが可能となるといった効果がある。
【産業上の利用可能性】
【００５９】
本発明は、ヘッドアップディスプレイ装置として産業上の利用可能性がある。
【図１】
0005819689.tif 000002
【図２】
0005819689.tif 000003
【図３】
0005819689.tif 000004
【図４】
0005819689.tif 000005
【図５】
0005819689.tif 000006
【図６】
0005819689.tif 000007
【図７】
0005819689.tif 000008
【図８】
0005819689.tif 000009
【図９】
0005819689.tif 000010
【図１０】
0005819689.tif 000011
【図１１】
0005819689.tif 000012
【図１２】
0005819689.tif 000013
【図１３】
0005819689.tif 000014
【図１４】
0005819689.tif 000015
【図１５】
0005819689.tif 000016
【図１６】
0005819689.tif 000017
【図１７】
0005819689.tif 000018
【図１８】
0005819689.tif 000019
【図１９】
0005819689.tif 000020
【図２０】
0005819689.tif 000021
【図２１】
0005819689.tif 000022
【図２２】
0005819689.tif 000023
【図２３】
0005819689.tif 000024
【図２４】
0005819689.tif 000025
【図２５】
0005819689.tif 000026
【図２６】
0005819689.tif 000027
【図２７】
0005819689.tif 000028
【図２８】
0005819689.tif 000029